(57)【要約】【目的】鋼管杭圧入用先端具の種類を従来よりも格段に少なくしてその製造コストを大幅に低下させることができ、螺旋状の掘削刃が地中の石により損傷してしまうことを防止することができ、さらに、井戸の施工費用を従来よりも大幅に低減させることができる鋼管杭圧入用先端具を提供する。【構成】鋼管杭を地中に圧入するときに杭の先端に固定するための先端具であって、地中に圧入される部分の反対側に位置している部分であって杭に対向している部分が、外側から内側に向かうにしたがって且つ圧入先端側から杭の方向に向かうにしたがって徐々に直径が減少するようなテーパー状の面であって断面が直線又は曲線となっているテーパー状の面を有するように形成されている。また、前記先端具の外表面には一つ又は複数の螺旋状の掘削刃が備えられており、且つ、前記先端具の前記掘削刃の先端の回転方向近傍には前記掘削刃で掘削した土を溜め込むための窪みが形成されている。さらに、前記先端具には、一つ又は複数の穴であって地下水を前記鋼管杭の内部に導入するための穴が形成されている。【選択図】    図１
2004263414.tif 000002
【特許請求の範囲】
【請求項１】
鋼管杭を地中に回転圧入するときに杭の先端に固定するための先端具であって、
地中に圧入される先端部分の反対側に位置している部分であって杭に対向している部分が、外側から内側に向かうにしたがって且つ圧入先端側から杭の方向に向かうにしたがって徐々に直径が減少するような略テーパー状の面であって断面が直線又は曲線となっている略テーパー状の面を有するように形成されている、ことを特徴とする鋼管杭圧入用先端具。
【請求項２】
請求項１において、前記先端具の地中に圧入される先端部分には一つ又は複数の螺旋状の掘削刃が備えられており、且つ、前記先端具の前記掘削刃先端の回転方向近傍には前記掘削刃で掘削した土を溜め込むための窪みが形成されている、ことを特徴とする鋼管杭圧入用先端具。
【請求項３】
請求項１又は２において、前記略テーパー状の面には、鋼管杭とのズレを防止するためのズレ防止手段が備えられている、ことを特徴とする鋼管杭圧入用先端具。
【請求項４】
請求項３において、前記ズレ防止手段は、前記略テーパー状の面に形成された一つ又は複数の凹状の窪みである、ことを特徴とする鋼管杭圧入用先端具。
【請求項５】
請求項３において、前記ズレ防止手段は、前記略テーパー状の面に形成された一つ又は複数の突起である、ことを特徴とする鋼管杭圧入用先端具。
【請求項６】
請求項３において、前記ズレ防止手段は、前記略テーパー状の面に形成された凹凸面である、ことを特徴とする鋼管杭圧入用先端具。
【請求項７】
請求項３において、前記ズレ防止手段は、前記略テーパー状の面に形成された一つ又は複数のネジ挿入穴である、ことを特徴とする鋼管杭圧入用先端具。
【請求項８】
請求項１から７までのいずれかにおいて、前記地中に圧入される先端部分又は前記略テーパー状の面には、一つ又は複数の穴であって地下水を前記鋼管杭の内部に導入するための穴が形成されている、ことを特徴とする鋼管杭圧入用先端具。
【請求項９】
請求項１から８までのいずれかに記載の鋼管杭圧入用先端具が固定される鋼管杭であって、前記略テーパー状の面に対向する下端部又は内壁部に、前記略テーパー状の面とのズレを防止するための凹状又は凸状部分が形成されている、ことを特徴とする鋼管杭。
【請求項１０】
請求項１から８までのいずれかに記載の鋼管杭圧入用先端具が固定される鋼管杭であって、前記略テーパー状の面に当接される下端部の近傍部分に、一つ又は複数の穴であって地下水を前記鋼管杭の内部に導入するための穴が形成されている、ことを特徴とする鋼管杭。
【発明の詳細な説明】
【０００１】
【発明の属する技術分野】
本発明は、基礎杭や地下水利用又はボーリング調査用などの鋼管杭を地中に回転圧入するための鋼管杭圧入用先端具及びそれを取り付ける鋼管杭に関する。
【０００２】
【従来の技術】
従来より、土木・建設工事の基礎杭（多くは圧入後埋め殺しにされる）を地中に圧入するため、又は、ボーリング調査のための杭（圧入後引き抜かれる）を地中に圧入するため、鋼管杭の下端部に圧入を容易にするための先端具を溶接などで固定することが行われている。この先端具は、杭の圧入方式の如何に拘わらず使用されている。なお、杭の圧入方式としては、以前は打撃方式、振動方式が多かったが、近隣住民に騒音や振動の被害を与えてしまうなどの問題が生じたため、最近は、螺旋状の掘削刃を備えた先端具を回転・掘削させながら垂直方向に地中に圧入させていく回転方式が採用されることが多い（例えば、特許文献１参照）。
【０００３】
図５は、従来から使用されている、鋼管杭Ａとこの鋼管杭Ａの先端に固定される鋼管杭圧入用先端具Ｂの一例を示す図である。図５に示す例では、鋼管杭Ａの下端に先端具Ｂの上面が溶接により固定されている（図５（ｂ）参照）。従来は、予め工場で各鋼管杭Ａに先端具Ｂが溶接・固定され、それらが倉庫に保管され、工事現場で必要なものだけが倉庫から工事現場に運搬されていた。
【特許文献１】
特開平１１−２５６５７６号公報
【０００４】
【発明が解決しようとする課題】
しかしながら、従来の鋼管杭圧入用先端具は、前述のように、予め工場で各基礎杭（又は調査用の杭）に先端具を固定してそれらを倉庫に保管するようにしていたので、互いに径が異なる杭の種類の数と同じ数だけ先端具の種類を製造することが必要となり、先端具の製造コストが高くなってしまうという問題があった。
【０００５】
また、従来の外周面に螺旋状の掘削刃を備えるタイプの杭圧入用先端具においては、圧入の過程で、地中の固い石が掘削刃に当たって掘削刃が損傷してしまうという問題があった。
【０００６】
さらに、従来の井戸掘り工事においては、井戸用の穴を掘るために先端具を付けた杭を地中に圧入し、その後、その杭を引き上げてから更に井戸水を導入するためのパイプを挿入するというように、多段階の作業を必要としていたので、井戸の施工費用が高くなってしまうという問題があった。
【０００７】
本発明はこのような従来技術の問題点に着目してなされたものであって、杭圧入用先端具の種類を従来よりも格段に少なくしてその製造コストを大幅に低下させることができる鋼管杭圧入用先端具及び鋼管杭を提供することを目的とする。
【０００８】
また、本発明は、鋼管杭圧入用先端具に備えられた螺旋状の掘削刃が地中の石などに当たって損傷してしまうことを防止することができる鋼管杭圧入用先端具を提供することを目的とする。
【０００９】
さらに、本発明は、井戸の施工費用を従来よりも大幅に低減させることができる鋼管杭圧入用先端具及び鋼管杭を提供することを目的とする。
【００１０】
【課題を解決するための手段】
このような従来技術の課題を解決するための本発明による鋼管杭圧入用先端具は、鋼管杭を地中に圧入するときに杭の先端に固定するための先端具であって、地中に圧入される先端部分の反対側に位置している部分であって杭に対向している部分が、外側から内側に向かうにしたがって且つ圧入先端側から杭の方向に向かうにしたがって徐々に直径が減少するような略テーパー状の面であって断面が直線又は曲線となっている略テーパー状の面を有するように形成されている、ことを特徴とするものである。
【００１１】
また、本発明による鋼管杭圧入用先端具においては、前記先端具の地中に圧入される先端部分には一つ又は複数の螺旋状の掘削刃が備えられており、且つ、前記先端具の前記掘削刃先端の回転方向近傍には前記掘削刃で掘削した土を圧縮した状態で溜め込むための窪みが形成されている、ことが望ましい。
【００１２】
また、本発明の鋼管杭圧入用先端具においては、前記略テーパー状の面には、鋼管杭との位置ズレを防止するための位置ズレ防止手段が備えられている、ことが望ましい。
【００１３】
また、本発明の鋼管杭圧入用先端具において、前記位置ズレ防止手段は、前記略テーパー状の面に形成された一つ又は複数の凹状の窪みである、ことが望ましい。
【００１４】
また、本発明の鋼管杭圧入用先端具において、前記位置ズレ防止手段は、前記略テーパー状の面に形成された一つ又は複数の突起である、ことが望ましい。
【００１５】
また、本発明の鋼管杭圧入用先端具において、前記位置ズレ防止手段は、前記略テーパー状の面に形成された凹凸面である、ことが望ましい。
【００１６】
また、本発明の鋼管杭圧入用先端具において、前記位置ズレ防止手段は、前記略テーパー状の面に形成された一つ又は複数のネジ（ズレ防止用のネジ）挿入用穴である、ことが望ましい。
【００１７】
また、本発明の鋼管杭圧入用先端具においては、前記地中に圧入される部分又は前記略テーパー状の面に、一つ又は複数の穴であって地下水を前記鋼管杭の内部に導入するための穴が形成されている、ことが望ましい。
【００１８】
また、本発明の鋼管杭圧入用先端具が固定される鋼管杭は、前記略テーパー状の面に当接・対向される下端部又は内壁部に、前記略テーパー状の面との位置ズレを防止するための凹状又は凸状部分が形成されている、ことが望ましい。
【００１９】
さらに、本発明の鋼管杭圧入用先端具が固定される鋼管杭は、前記略テーパー状の面に当接される下端部の近傍部分に、一つ又は複数の穴であって地下水を前記鋼管杭の内部に導入するための穴が形成されている、ことが望ましい。
【００２０】
【発明の実施の形態】
（実施形態１）  図１（ａ）は本実施形態１による鋼管杭圧入用先端具１を示す斜視図である。図１（ａ）において、２は杭圧入時に地中を容易に掘り進めるように図示下端２ａが尖っているように形成された先端部、３は前記先端部２の反対側に位置し鋼管杭と対向する背面部である。本実施形態１では、前記先端部２は図示下端２ａが尖っており図示上方に行くにしたがって徐々に直径が増大していく円錐状に形成されている。また、前記背面部３は、その図示下端３ａが前記先端部２の図示上端２ｂと連続しており、且つ、その図示上端３ｂが円形の開口部３ｃを形成しており、前記下端３ａから前記上端３ｂの方に進んでいくにしたがって徐々に直径が減少していく断面直線状のテーパー状に形成されている。
【００２１】
また、本実施形態１の鋼管杭圧入用先端具１は、鋳物により形成されている。この鋳物の具体的な構成要素は、例えば、Ｃ（炭素）、Ｓｉ（シリカ）、Ｍｎ（マンガン）、Ｐ（リン）、Ｓ（イオウ）、Ｃｒ（カリウム）、Ｍｏ（モリブデン）、Ｖ（バナジウム）などであり、それらの配合割合の例は、次表のとおりである。
【００２２】
【表１】
2004263414.tif 000003
【００２３】
次に、本実施形態１の鋼管杭圧入用先端具１の使用方法を図１（ｂ）−（ｄ）を参照して説明する。本実施形態１は、一種類の先端具１を、互いに径が異なる複数種類の鋼管杭４ａ，４ｂ，４ｃのために共用できるという点に特徴がある。すなわち、径が比較的小さい鋼管杭４ａを地中に圧入するときは、図１（ｂ）に示すように、前記鋼管杭４ａの先端を、前記先端具１の背面部３のテーパー面の上端３ｂ近傍部（直径が小さい部分）に当接させて溶接することにより、鋼管杭４ａに先端具１を固定することができる（なお、図において５ａは溶接部分である）。また、径が中くらいの鋼管杭４ｂを地中に圧入するときは、図１（ｃ）に示すように、前記鋼管杭４ｂの先端を、前記先端具１の背面部３のテーパー面の中央部分（直径が中くらいの部分）に当接させて溶接することにより、鋼管杭４ｂに先端具１を固定することができる（なお、図において５ｂは溶接部分である）。さらに、径が比較的大きい鋼管杭４ｃを地中に圧入するときは、図１（ｄ）に示すように、前記鋼管杭４ｃの先端を、前記先端具１の背面部３のテーパー面の下端３ａ近傍部（直径が大きい部分）に当接させて溶接することにより、鋼管杭４ｃに先端具１を固定することができる（なお、図において５ｃは溶接部分である）。
【００２４】
このように、本実施形態１によれば、一種類の先端具１を、例えば約１００−１５０ｍｍの範囲（又は、約２００−２６０ｍｍの範囲、あるいは、約３００−４００の範囲）内の互いに径の異なる複数種類の鋼管杭に共通に固定し使用することができるようになるので、先端具の種類を大幅に減少させて、先端具の製造コストを大幅に低減させ、鋼管杭の圧入工事のコストを低減させることができるようになる。
【００２５】
また、特に、本実施形態１では、一種類の先端具１を用意しておくだけで、工事現場で、互いに径が異なる複数種類の基礎杭の中の所望の種類の鋼管杭を選んで、それに先端具１を溶接して使用することができるので、従来のように予め先端具を固定した多種類の鋼管杭を倉庫などに保管しておく必要がなくなる。したがって、本実施形態１によれば、工事で使用すべき鋼管杭を現場で選んでそれに多種類の鋼管杭に共用可能な先端具を現場で溶接・固定すればよいという柔軟な対応が可能になり、従来のように直ちには使用する予定のない鋼管杭（先端具を固定したもの）を予め多量に倉庫に保管しておくという無駄なことをする必要がなくなり、工事の施工コストを大幅に低減することが可能になる。
【００２６】
また、本実施形態１では、地中に圧入する先端部の反対側の背面部３を外側から内側に向かうにしたがって且つ図示下方（圧入先端側）から図示上方（杭の方向）に向かうにしたがって徐々に直径が縮小するテーパー状に形成しているので、例えば、杭の圧入個所を間違えたときや調査用の杭を圧入するときなどにおいて圧入した杭を地上に引き抜く必要があるときでも、引き抜き時に土の抵抗を最小にすることができ、引き抜き作業を極めて容易に行えるようになる（これに対して、前記背面部３がテーパー状に形成されていないときは、引き抜き時に土が抵抗となって容易に引き抜くことができなくなってしまう）。
【００２７】
（実施形態２）  次に、図２（ａ）は本発明の実施形態２による鋼管杭圧入用先端具１１を示す斜視図、図２（ｂ）は図２（ａ）の先端具１１をその逆さ（下）方向から見たときの状態を示す斜視図である。図２において、１２は地中に圧入されるときの圧入先端となる略円錐状の先端部、１３は前記先端部１２の反対側に位置し鋼管杭と対向するテーパー状の背面部である。
【００２８】
本実施形態２においては、前記先端部１２の外表面に、２つの螺旋状の掘削刃１４，１５が備えられている。また、本実施形態２では、前記先端部１２には、前記掘削刃１４，１５の先端１４ａ，１５ａの回転方向の近傍部分に、それぞれ窪み１６，１７が形成されている。これらの窪み１６，１７は、前記掘削刃１４，１５により掘削された土を圧縮した状態で溜め込んでおくためのものである。
【００２９】
すなわち、本実施形態２では、鋼管杭圧入先端具１１の先端部１２に前述のような窪み１６，１７を形成しているので、前記先端具１１が地中に圧入されて前記掘削刃１４，１５が土を掘削していくとき、掘削された土は直ちに前記掘削刃１４，１５を伝って上方に移動するのではなく、いったん前記窪み１６，１７の中に溜め込まれて圧縮させられる。その結果、前記掘削刃１４，１５が地中で掘削した土や石は、掘削刃１４，１５に当たる前に、まず、前記窪み１６，１７に溜め込まれて圧縮された土に当たるようになる。よって、本実施形態２によれば、例えば、前記掘削刃１４，１５が地中で硬い石を掘削した場合でも、その石は前記掘削刃１４，１５に当たる前に前記窪み１６，１７中に溜まった土に当たるので、前記石により前記掘削刃１４，１５が損傷してしまうことが有効に防止されるようになる。
【００３０】
（実施形態３）  次に、図３は本発明の実施形態３による鋼管杭圧入用先端具２１を示す斜視図である。図３において、２２は前記先端具２１の圧入先端となる円錐状の先端部、２３は前記先端部２２の反対側に位置して杭と対向するテーパー状の背面部、２３ｃは前記背面部２３の図示上方（杭に対向する側）の中央に形成された開口部である。
【００３１】
本実施形態３による先端具２１は、井戸掘り工事に使用することを予定している。本実施形態３の先端具２１では、前記先端部２２に複数の穴２４が形成されている。この穴２４は、地下水を前記先端具２１の内部に導入し、更にその地下水を前記開口部２３ｃを介してパイプ状の杭の内部に導入するためのものである。
【００３２】
すなわち、本実施形態３の先端具２１を使用して井戸掘り工事を行う場合は、この先端具２１を鋼管杭（図示せず）に溶接・固定して、この先端具２１と杭を地中に圧入する。そして、前記先端具２１が地下水まで到達したとき、前記先端具２１と杭をそのまま埋め殺しの状態にし、前記先端具２１の前記穴２４から地下水を前記杭の中に導入して上昇させ飲用水などに利用する。
【００３３】
従来の井戸掘り工事においては、（１）例えば８−１０ｍｍ径のビット（先端具）を付けた鋼管を地中に圧入し、（２）その鋼管をいったん引き抜いて、（３）その引き抜いた後にできた穴の中に地下水を導入するためのパイプを入れる、という少なくとも３つの工程を経る必要があったので、井戸の施工コストが高くなってしまっていた。これに対して、本実施形態３の先端具２１を使用すれば、前記の先端具２１を付けた鋼管を地中に圧入して埋め殺しにするというただ一つの工程だけで地下水を飲用水などに利用することができるようになるので、井戸の施工コストを大幅に低減することができるようになる。
【００３４】
以上、本発明の実施形態について説明してきたが、本発明はこれらに限られるものではなく様々な変更が可能である。例えば、前記の各実施形態１−３においては、鋼管杭圧入用先端具として、円錐状の先端部とテーパー状の背面部との双方とも断面が直線状に形成されているものを示しているが、本発明においては、断面が曲線状に形成されたものを含んでいてもよい。
【００３５】
すなわち、本発明においては、図４（ａ）に示すように、先端具３１は、地中に圧入される圧入先端となる先端部３２が断面曲線状に形成され、且つ、杭に対向する側の背面部３３が断面曲線状のテーパー状に形成されていてもよい。また、本発明においては、図４（ｂ）に示すように、先端具４１は、地中に圧入される圧入先端となる先端部４２が断面曲線状に形成され、且つ、杭に対向する側の背面部４３が断面直線状のテーパー状に形成されていてもよい。さらに、本発明においては、図４（ｃ）に示すように、先端具５１は、地中に圧入される圧入先端となる先端部５２が断面直線状（円錐状）に形成され、且つ、杭に対向する側の背面部５３が断面曲線状のテーパー状に形成されていてもよい。
【００３６】
また、本発明においては、鋼管杭圧入用先端具の略テーパー状の面に、鋼管杭との位置ズレを防止するための位置ズレ防止手段、例えば、一つ又は複数の凹状の窪み、一つ又は複数の突起、凹凸面、又は、一つ又は複数のネジ（位置ズレ防止用ネジ）挿入用穴などを備えるようにしてもよい。
【００３７】
また、本発明においては、鋼管杭の、前記先端具の前記略テーパー状の面に当接される下端部又は内壁部に、前記略テーパー状の面との位置ズレを防止するための凹状又は凸状部分を形成するようにしてもよい。
【００３８】
さらに、本発明においては、鋼管杭の、前記先端具の前記略テーパー状の面に当接される下端部の近傍部分に、一つ又は複数の穴であって地下水を前記鋼管杭の内部に導入するための穴を形成するようにしてもよい。
【００３９】
【発明の効果】
以上に説明したように、本発明の鋼管杭圧入用先端具においては、地中に圧入される先端部と反対側に位置して杭に対向している部分を略テーパー状に形成するようにしたので、互いに異なる径を有している複数種類の杭を、一種類の先端具の前記略テーパー状の面に共通に固定できるようになる。したがって、本発明によれば、一種類の先端具を、互いに径の異なる複数種類の杭のために共通に使用することができるようになるので、先端具の種類を大幅に減少させて、先端具の製造コストを大幅に低減させ、杭の圧入工事のコストを大幅に低減させることができるようになる。
【００４０】
また、本発明においては、一種類の先端具を用意しておくだけで、工事現場で、互いに径が異なる複数種類の杭の中の所望の種類の杭を選んで、それに先端具を固定して圧入のために使用することができるので、従来のように予め先端具を固定した多種類の杭を倉庫などに保管しておく必要がなくなる。したがって、本発明によれば、工事で使用すべき杭を現場で選んでそれに多種類の杭に共用可能な先端具を現場で溶接・固定すればよいという現場での柔軟な対応が可能になり、従来のように直ちには使用する予定のない杭（先端具を固定したもの）を予め多量に倉庫に保管しておくという無駄なことをする必要がなくなり、工事の施工コストを大幅に低減することが可能になる。
【００４１】
また、本発明においては、地中に圧入する先端部の反対側の背面部を外側から内側に向かうにしたがって且つ圧入先端側から杭の方向に向かうにしたがって徐々に直径が縮小する略テーパー状に形成しているので、例えば、杭の圧入個所を間違えたときや調査用の杭を圧入するときなどにおいて圧入した杭を地上に引き抜く必要があるときでも、引き抜き時に土の抵抗を最小にすることができ、引き抜き作業を極めて容易に行えるようになる。
【００４２】
また、本発明においては、鋼管杭圧入先端具の先端部に備えられた掘削刃先端の圧入方向近傍に一つ又は複数の窪みを形成するようにしているので、前記先端具が地中に圧入されて前記掘削刃が土を掘削していくとき、掘削された土はいったん前記窪みの中に溜め込まれて圧縮させられるようになる。そのため、本発明によれば、前記掘削刃が地中で掘削した土や石は、前記掘削刃に当たる前に、まず、前記窪みに溜め込まれて圧縮された土に当たるようになる。したがって、本発明によれば、例えば、前記掘削刃が地中で硬い石を掘削した場合でも、その石は前記掘削刃に当たる前に前記窪み中に溜まった土に当たるようになるので、前記石により掘削刃が損傷してしまうことが有効に防止されるようになる。
【００４３】
また、本発明において、鋼管杭圧入用先端具の略テーパー状の面に、鋼管杭とのズレを防止するための位置ズレ防止手段（一つ又は複数の凹状の窪み、一つ又は複数の突起、凹凸面、又は、一つ又は複数のネジ挿入用穴など）を備えるようにしたときは、鋼管杭と先端具との溶接部分の位置決めを極めて容易に且つ高精度に行うことができるようになる。また、鋼管杭の、前記先端具の前記略テーパー状の面に当接・対向される下端部又は内壁部に、前記略テーパー状の面との位置ズレを防止するための凹状又は凸状部分を形成するようにしたときも、同様の効果が得られる。
【００４４】
さらに、本発明においては、鋼管杭圧入用先端具の先端部に一つ又は複数の穴を形成するようにし、この穴から地下水を前記先端具の内部に導入し、更にその地下水を前記先端具の開口部を介してパイプ状の杭の内部に導入できるようにしている。したがって、本発明によれば、井戸掘り工事を行う場合に、本発明の先端具をパイプ状の杭に固定して地中に圧入し、前記先端具が地下水に到達したとき、前記先端具と杭をそのまま埋め殺しの状態にするだけで、前記先端具の前記穴から地下水を前記パイプ状の杭の中に導入して飲用水などに利用することができるので、従来と比べて井戸堀り工事の施工コストを大幅に低減させられるようになる。また、鋼管杭の、前記先端具の前記略テーパー状の面に当接される下端部の近傍部分に、一つ又は複数の穴であって地下水を前記鋼管杭の内部に導入するための穴を形成するようにしたときも、同様の効果が得られる。
【図面の簡単な説明】
【図１】本発明の実施形態１による鋼管杭圧入用先端具の構成と使用方法を説明するための図。
【図２】本発明の実施形態２による鋼管杭圧入用先端具の構成を説明するための図。
【図３】本発明の実施形態３による井戸堀工事用の杭圧入用先端具の構成を説明するための図。
【図４】本発明の他の実施形態による鋼管杭圧入用先端具の構成を説明するための図。
【図５】従来の鋼管杭圧入用先端具の構成を説明するための図。
【符号の説明】
１，１１，２１，３１，４１，５１，Ｂ  鋼管杭圧入用先端具
２，１２，２２，３２，４２，５２  先端部
３，１３，２３，３３，４３，５３  背面部
３ａ  下端
３ｂ  上端
３ｃ，２３ｃ  開口部
４ａ，４ｂ，４ｃ，Ａ    鋼管杭
１４，１５  掘削刃
１４ａ，１５ａ  掘削刃の先端
１６，１７  窪み
２３ｃ  開口部
２４  穴
【図１】
2004263414.tif 000004
【図２】
2004263414.tif 000005
【図３】
2004263414.tif 000006
【図４】
2004263414.tif 000007
【図５】
2004263414.tif 000008